(57)【要約】【課題】従来のテンキーの各キーを使って、大多数の人がコンピュータで慣れ親しんでいるローマ字を用いて、ローマ字入力が、誰にでも簡単に早くできる小型のローマ字入力装置を提供すること。【解決手段】ローマ字入力及び英字入力において、テンキーの各キーから導かれた複数の文字及び記号を表示する表示機能と、表示された複数の文字及び記号のなかから、必要な文字及び記号を選択する選択機能を有することを特徴とするローマ字入力装置。【選択図】　図１
2004046678.tif 000002
【特許請求の範囲】
【請求項１】
ローマ字入力及び英字入力において、テンキーの各キーから導かれた複数の文字及び記号を表示する表示機能と、表示された複数の文字及び記号のなかから、必要な文字及び記号を選択する選択機能を有することを特徴とするローマ字入力装置。
【発明の詳細な説明】
【０００１】
【発明の属する技術分野】本発明は、文字と数字及び記号の入力を必要とする各種機器のローマ字入力装置に関するもので、パーソナルコンピュータ、電話機、ファクシミリ、テレビのリモコン、電子手帳、携帯情報端末（ＰＤＡ）及び、携帯電話（ＰＨＳ）などに好適で、なおかつ、習得が容易なローマ字入力装置に関するものである。
【０００２】
【従来の技術】従来、回転式デバイスを用いるタイプとして「特開２００２−１５７０７４」号公報に記載のキーボードがある。
【０００３】また従来、ＪＩＳキーボードの補助装置として「特開２００１−３３７７６６」号公報に記載のキーボードがある。
【０００４】さらに従来、ゲーム用の文字入力装置としては「特開２００１−３３１２６０」号公報に記載のキーボードがある。
【０００５】前３項の文字入力装置は、文字を確定するまでの操作が複雑で、なおかつ、日本語入力において、大多数の人がパーソナルコンピュータで用いているローマ字入力ではない。
【０００６】
【発明が解決しようとする課題】従来のテンキーの各キーを使ってローマ字入力が、簡単に早くできる小型のローマ字入力装置を提供すること。
【０００７】
【課題を解決するための手段】ローマ字入力及び英字入力において、テンキーの各キーから導かれた複数の文字及び記号を表示する表示機能と、表示された複数の文字及び記号のなかから、必要な文字及び記号を選択する選択機能を有することを特徴とするローマ字入力装置。
【０００８】
【発明の実施の形態】図１を参照して説明すると、本発明のローマ字入力装置１０１は、ディスプレー１０２及び文字入力部１０３から構成されるローマ字入力装置。
【０００９】ディスプレー１０２には、テンキーの各キーから導かれた複数の文字及び記号を表示するための表示部「１１」〜「２０」（図１の１１〜２０）を設ける。
【００１０】文字入力部１０３には、ローマ字及び英字を入力する為の入力キー３１〜４０（図１の３１〜４０）を設ける。
【００１１】テンキーの各キーから導かれディスプレー１０２の「１１」〜「２０」（図１の１１〜２０）に表示された複数の文字及び記号のなかから、必要な文字及び記号を選択するキー３１〜４０（図１の３１〜４０）を設ける。
【００１２】キー３１〜４０は、ディスプレー１０２の「１１」〜「２０」（図１の１１〜２０）に複数の文字及び記号を表示する表示機能と、ディスプレー１０２の「１１」〜「２０」（図１の１１〜２０）に表示された複数の文字及び記号のなかから必要な文字及び記号を選択する選択機能をあわせ持つ。
【００１３】ローマ字及び英字の文字及び記号は、キー３１〜４０を操作して、ディスプレー１０２に表示され、次に、キー３１〜４０を操作することにより、ディスプレー１０６に表示される。図５及び図６の文字及び記号は、２回の操作でディスプレー１０６に表示できる。
【００１４】文字入力部１０３のキー４１〜４５には、「ＢａｃｋＳｐａｃｅ」「Ｍｏｏｄ」「Ｓｐａｃｅ」「Ｅｎｔｅｒ」「無変換」の各入力キー（図１の４１〜４５）を設ける。
【００１５】図２は、文字と数字及び記号が入力できるローマ字入力装置１０１のキー表記を示す。入力操作を容易にする為にディスプレー１０２の「１１」〜「２０」（図１の１１〜２０）の上段か下段の何れかに「１」〜「０」を表記する。
【００１６】「ローマ字入力」の場合は、Ｍｏｏｄキー４２を操作し「ローマ字入力モード」を選択しておく。次に、「お」と入力する場合は、キー３２を操作すると、ディスプレー１０２の「１１」〜「２０」（図１の１１〜２０）に「ａ」「ｉ」「ｕ」「ｅ」「ｏ」「ｂａ」「ｂｉ」「ｂｕ」「ｂｅ」「ｂｏ」が表示されるので、次に、キー３５を選択し操作すると「お」がディスプレー１０６表示される。
【００１７】「ぴ」と入力する場合は、キー３７を操作すると、ディスプレー１０２の「１１」〜「２０」（図１の１１〜２０）に「ｐａ」「ｐｉ」「ｐｕ」「ｐｅ」「ｐｏ」「ｒａ」「ｒｉ」「ｒｕ」「ｒｅ」「ｒｏ」が表示されるので、次に、キー３２を選択し操作すると「ぴ」がディスプレー１０６に表示される。
【００１８】「ょ」と入力する場合は、キー３９を操作すると、ディスプレー１０２の「１１」〜「１９」（図１の１１〜１９）に「ｗａ」〜「ｌｙｏ」が表示されるので、次に、キー３９を選択し操作すると「ょ」がディスプレー１０６に表示される。
【００１９】「エリ」と入力する場合は、キー３２を操作すると、ディスプレー１０２の「１１」〜「２０」に「ａ」〜「ｂｏ」が表示される。次に、キー３４を選び操作するとディスプレー１０６に「え」と表示される。次に、キー３７を操作すると、ディスプレー１０２の「１１」〜「２０」に「ｐａ」〜「ｒｏ」が表示される。次に、キー３７を選び操作すると、ディスプレー１０６に「り」が追加されて表示され、「えり」となる。次に、無変換キー４５を操作し、ディスプレー１０６の表示が「エリ」となった時点で、Ｅｎｔｅｒキー４４を操作して「エリ」を確定する。
【００２０】「日本一」と入力する場合は、キー３６、３７、３４、４０、３９、３３、３２、３２、３８、３２を順次操作すると、ディスプレー１０６に「にほんいち」と表示されるので、次に、Ｓｐａｃｅキー４３を操作し、ディスプレー１０６の表示が「日本一」となった時点で、Ｅｎｔｅｒキー４４を操作して「日本一」を確定する。
【００２１】英字を入力する場合は、Ｍｏｏｄキー４２を操作し「英字入力モード」を選択しいおく。次に「ＡＥｎｓ」と入力する場合は、キー３２、３１、３３、３２、３６、３５、３７、３８と順次操作すると、ディスプレー１０６に「ＡＥｎｓ」と表示される。
【００２２】数字を入力する場合は、Ｍｏｏｄキー４２を操作し「数字入力モード」を選択しておく。次に、「１２３」と入力する場合は、キー３１、３２、３３と入力すると、ディスプレー１０６に「１２３」と表示される。
【００２３】本発明のローマ字入力装置１０１における、入力処理機能について、図４に示すブロック図を参照して説明する。
【００２４】入力キー３１〜４０（図１の３１〜４０）を操作すると、キー操作２０１→キー入力検出手段２０２→キー入力処理手段２０３→ディスプレー１０２→キー操作２０１→キー入力検出手段２０２→キー入力処理手段２０３→パーソナルコンピュータ本体１０５を経てディスプレー１０６に表示される。
【００２５】
【実施例】本発明の実施例は、図３に示すように、パーソナルコンピュータに接続される従来の文字入力装置の補助入力装置として、ローマ字入力装置１０１を用いた例である。パーソナルコンピュータ本体１０５とローマ字入力装置１０１は、ケーブルまたは、無線によりに接続されている。
【００２６】本発明が適用されるローマ字入力装置としては、パーソナルコンピュータ、電話機、ファクシミリ、テレビのリモコン、電子手帳や携帯情報端末（ＰＤＡ）及び、携帯電話（ＰＨＳ）、などに限らず、文字と数字及び記号の入力を必要とする各種機器に適用できる。
【００２７】本発明のローマ字入力装置１０１のディスプレー１０２は、図１に示す配置となっているが、パーソナルコンピュータ、電話機、ファクシミリ、テレビのリモコン、電子手帳、携帯情報端末（ＰＤＡ）、携帯電話（ＰＨＳ）、などの既存のディスプレーを利用して、本発明の表示機能を実現してもよい。
【００２８】本発明の実施例は、図１のディスプレー１０２の「１１」〜「２０」（図１の１１〜２０）のローマ字入力時の表示は、ローマ字表示であるが、ローマ字の日本語読みをひらがな又は、カタカナでの表示も適宜選択出来るようにする。
【００２９】キー３１〜４５の各文字と数字及び記号の配列及び表示の設定は、前記実施形態に限定されるものではなく、入力者の利用頻度により図５及び図６の空欄部分に文字及び記号の追加設定が出来るものとする。例えば、図５及び図６の空欄部分に「ｙｅ」、「ｗｈａ」、「ｋｙａ」、「絵文字」、「単位記号」などを適宜追加設定出来るものとする。
【００３０】また、図５の空欄部分に「ｇｙ」を設定しておきキー「ｇｙ」を操作する事により、図１のディスプレー１０２の「１１」〜「２０」（図１の１１〜２０）に「ｇｙａ」「ｇｙｉ」「ｇｙｕ」「ｇｙｅ」「ｇｙｏ」「ｑｙａ」「ｑｙｉ」「ｑｙｕ」「ｑｙｅ」「ｑｙｏ」が表示できるように適宜追加設定が出来るものとする。この場合は、１回キーの操作回数が増えることになるが、より多くの文字及び記号が追加設定できる。
【００３１】また、携帯電話の場合は、電話モードを追加したり、キー４１に「＊」、キー４５に「＃」を追加したりすれば適用出来る。
【００３２】また、図１のディスプレー１０２の「１１」〜「２０」（図１の１１〜２０）に表示される順序においても、適宜設定変更出来るものとする。例えば、図５のキー３４の表示「ｇａ」〜「ｈｏ」を「ｈａ」〜「ｇｏ」に変更したり、図６において小文字を前に大文字を後ろにしたり出来るものとする。
【００３３】また、図５及び図６の各種記号の配置や追加及び、削除も適宜設定変更出来るものとする。
【００３４】また、各キー３１〜４０にローマ字表記やローマ字の日本語読みをひらがな又は、カタカナでの表記も出来るものとする。
【００３５】
【発明の効果】本発明のローマ字入力装置１０１は、ローマ字入力でキーの配置が覚え易く、入力操作が簡単に早くできるので、パーソナルコンピュータや電子機器などの文字と数字及び記号の入力を必要とする各種機器に適用できる。
【図面の簡単な説明】
【図１】本発明の実施形態におけるローマ字入力装置１０１のキー配置を示す平面図である。
【図２】本発明の実施形態におけるローマ字入力装置１０１の、キー表記を示す平面図である。
【図３】本発明の実施形態におけるローマ字入力装置１０１を適用したパーソナルコンピュータを示す正面図である。
【図４】前記実施形態におけるローマ字入力装置１０１の内部構成を示すブロック図である。
【図５】ローマ字入力時のキー操作の令を示す表である。
【図６】英字入力時のキー操作の令を示す表である。
【主な符号の説明】
１１〜２０　ディスプレー１０２の表示部
３１〜４５　入力キー
１０１　　　ローマ字入力装置
１０２　　　ディスプレー
１０３　　　文字入力部
１０４　　　　　　パーソナルコンピュータのキーボード
１０５　　　パーソナルコンピュータの本体
１０６　　　パーソナルコンピュータのディスプレー
【図１】
2004046678.tif 000003
【図２】
2004046678.tif 000004
【図３】
2004046678.tif 000005
【図４】
2004046678.tif 000006
【図５】
2004046678.tif 000007
【図６】
2004046678.tif 000008